(57)【要約】      （修正有）【課題】帽子に装着することで前方から照射される日光を容易に遮断することができる日除け部材を提供する。【解決手段】着用者の頭部を覆う帽子本体１０１と、該帽子本体１０１に設けられて光を遮断するつば１０２とを備える帽子１００に装着する日除け部材であって、光を遮断する板状の遮光部材１１と、該遮光部材１１の一端側から突出して固定され、つば１０２と遮光部材１１とを接続する接続部材１２Ａ、１２Ｂとを備え、遮光部材１１の一端側がつば１０２の帽子本体１０１側に他端側がつば１０２の先端側に位置するように、接続部材１２Ａ、１２Ｂの突出部をつば１０２の帽子本体１０１側下面に接合させることにより帽子１００に日除け部材を装着した際に、遮光部材１１がつば１０２から所定の角度で傾斜して保持されるように構成されていることを特徴とする日除け部材。【選択図】図３
0003169060.tif 000002
【実用新案登録請求の範囲】
【請求項１】
着用者の頭部を覆う帽子本体と、前記帽子本体に設けられて光を遮断するつばと、を備える帽子に装着する日除け部材であって、
光を遮断する板状の遮光部材と、
前記遮光部材の一端側から突出して固定され、前記つばと前記遮光部材とを接続する接続部材と、を備え、
前記遮光部材の前記一端側が前記つばの帽子本体側に他端側が前記つばの先端側に位置するように、前記接続部材の突出部を前記つばの前記帽子本体側下面に接合させることにより前記帽子に前記日除け部材を装着した際に、前記遮光部材が前記つばから所定の角度で傾斜して保持されるように構成されていることを特徴とする日除け部材。
【請求項２】
前記帽子に前記日除け部材を装着した際に、前記接続部材は、前記突出部が前記遮光部材の重量により撓み、前記遮光部材の前記つばに対する傾斜角度が３０〜８０°となるように構成されていることを特徴とする請求項１に記載の日除け部材。
【請求項３】
前記接続部材の突出部と前記つばとの接合を面ファスナーで行うことを特徴とする請求項１又は２に記載の日除け部材。
【請求項４】
前記遮光部材は、前記一端側とは反対側の他端側を前記つばの下面に着脱自在に固定する固定部材を備えることを特徴とする請求項１〜３のいずれか一項に記載の日除け部材。
【請求項５】
前記遮光部材の他端側と前記つばとの接合を面ファスナーで行うことを特徴とする請求項４に記載の日除け部材。
【請求項６】
前記遮光部材は、不透明の樹脂材料又は耐水処理されたボール紙からなることを特徴とする請求項１〜５のいずれか一項に記載の日除け部材。
【考案の詳細な説明】
【技術分野】
【０００１】
本考案は、帽子に着脱自在に設けることができる日除け部材に関する。
【背景技術】
【０００２】
屋外でスポーツをする場合や屋外で作業をする場合には、前方から照射される光、すなわち、日光を遮断するためにつば付きの帽子などが使用される（例えば、特許文献１参照）。
【０００３】
しかしながら、帽子のつばだけでは、前方から照射される日光、特に水平に対して低角度の日光を十分に遮断することができないという問題があった。
【０００４】
一方、着用者の側頭部を覆うことにより、帽子用の着脱式日除けなども提案されている（例えば、特許文献２参照）。
【先行技術文献】
【特許文献】
【０００５】
【特許文献１】特開２００６−２４９６４７号公報
【特許文献２】特開２００７−５１４０８号公報
【考案の概要】
【考案が解決しようとする課題】
【０００６】
特許文献２に記載されている帽子用の着脱式日除けなどは、構造が複雑でありコストがかかるという問題や、帽子に日除けを装着したり取り外したりする際に取り付けが面倒であった。
【０００７】
また、前方から照射される光、特に水平に対して低角度の光を容易に遮断することができる日除けが求められている。
【０００８】
本考案はこのような事情に鑑み、装着が容易で、前方の視界をさえぎることなく、前方から照射される光を良好に遮断することができる日除け部材を提供することを目的とする。
【課題を解決するための手段】
【０００９】
上記課題を解決する本考案の態様は、着用者の頭部を覆う帽子本体と、前記帽子本体に設けられて光を遮断するつばと、を備える帽子に装着する日除け部材であって、光を遮断する板状の遮光部材と、前記遮光部材の一端側から突出して固定され、前記つばと前記遮光部材とを接続する接続部材と、を備え、前記遮光部材の前記一端側が前記つばの帽子本体側に他端側が前記つばの先端側に位置するように、前記接続部材の突出部を前記つばの前記帽子本体側下面に接合させることにより前記帽子に前記日除け部材を装着した際に、前記遮光部材が前記つばから所定の角度で傾斜して保持されるように構成されていることを特徴とする日除け部材にある。
【００１０】
かかる態様では、帽子に装着した際に遮光部材が前記つばから所定の角度で傾斜して保持される。これにより、前方の視界をさえぎることなく、前方から照射される光、特に水平に対して低角度の光を良好に遮断することができる。また、接続部材を帽子に接続することにより、容易に帽子に装着させることができる。さらに、帽子の形状によらず、帽子本体とつばを備えるものであればいずれにも装着することができる。
【００１１】
ここで、前記帽子に前記日除け部材を装着した際に、前記接続部材は、前記突出部が前記遮光部材の重量により撓み、前記遮光部材の前記つばに対する傾斜角度が３０〜８０°となるように構成されているのが好ましい。これによれば、より確実に、前方の視界をさえぎることなく、前方から照射される光を良好に遮断することができる。
【００１２】
また、前記接続部材の突出部と前記つばとの接合を面ファスナーで行うのが好ましい。これによれば、面ファスナーを係合・脱離させることにより、帽子から容易に着脱させることができる。すなわち、帽子に対して着脱自在のものとすることができる。
【００１３】
前記遮光部材は、前記一端側とは反対側の他端側を前記つばの下面に着脱自在に固定する固定部材を備えるのが好ましい。これによれば、日除け部材の不使用時に、つばの裏面に日除け部材を固定することができる。
【００１４】
前記遮光部材の他端側と前記つばとの接合を面ファスナーで行うのが好ましい。これによれば、面ファスナーを係合・脱離させることにより、遮光部材の他端側を帽子から容易に着脱させることができる。
【００１５】
前記遮光部材は、不透明の樹脂材料又は耐水処理されたボール紙からなるのが好ましい。これによれば、より確実に前方から照射される光を良好に遮断することができる。
【考案の効果】
【００１６】
本考案は、帽子に装着することにより、帽子着用者の前方の視界をさえぎることなく、前方から照射される光を良好に遮断することができる。また、接続部材を帽子に接続することにより、容易に帽子に装着させることができる。さらに、帽子の形状によらず、帽子本体とつばを備えるものであればいずれにも装着することができる。
【図面の簡単な説明】
【００１７】
【図１】一実施形態に係る日除け部材の平面図及び断面図である。
【図２】一実施形態に係る日除け部材を帽子に装着する方法を示す平面図である。
【図３】一実施形態に係る日除け部材の使用方法を説明する断面図である。
【図４】一実施形態に係る日除け部材の使用方法を説明するイメージ図である。
【図５】一実施形態に係る日除け部材の使用方法を説明するイメージ図である。
【考案を実施するための形態】
【００１８】
以下に本考案を一実施形態に基づいて詳細に説明する。
【００１９】
図１は、本考案の一実施形態に係る日除け部材の平面図及びそのＡ−Ａ’線断面図である。
【００２０】
本考案の日除け部材は、着用者の頭部を覆う帽子本体と、帽子本体に設けられて日差しを遮断するつばとを備える帽子に装着する日除け部材である。
【００２１】
図１に示すように、日除け部材１０は、光を遮断する板状の遮光部材１１と、遮光部材１１の一端側に設けられる接続部材１２と、を具備する。
【００２２】
接続部材１２は、遮光部材の一端側から突出して固定され、帽子のつばと遮光部材１１とを接続するものである。本実施形態の接続部材１２は、遮光部材１１の一方面側に設けられており、具体的には、遮光部材１１の一端側に固定される固定部と、遮光部材１１の面方向外側に突出する突出部とからなり、帽子のつばと遮光部材１１とを接続するものである。
【００２３】
この接続部材１２は、遮光部材１１の一端側がつばの帽子本体側に他端側がつばの先端側に位置するように、接続部材１２の突出部をつばの帽子本体側下面に接合させることにより帽子に日除け部材１０を装着した際に、遮光部材１１がつばから所定の角度で傾斜して保持されるように構成されている。
【００２４】
ここで、「帽子に日除け部材１０を装着した際に、遮光部材１１がつばから所定の角度で傾斜して保持されるように構成されている」とは、帽子に日除け部材１０を装着した際に、遮光部材１１が所定の角度傾斜垂下するように構成されていることを指す。例えば、帽子に日除け部材１０を装着した際に、接続部材１２は突出部が遮光部材１１の重量により撓み、遮光部材１１のつばに対する傾斜角度が３０〜８０°となるように構成されているのが好ましく、４０〜７０°となるように構成されているのがさらに好ましい。このように、接続部材１２が遮光部材１１の重量により撓むことにより、遮光部材１１を所望の方向に垂下させればよい。「帽子に装着した際に遮光部材の重量により撓むように構成されている」とは、日除け部材１０を帽子に装着した際に遮光部材の重量により、完全に折れ曲がることなく撓むことを指す。このとき、接続部材１２の突出部全体が撓むように構成されていてもよいが少なくとも一部が撓むように構成されていればよい。遮光部材１１のつばに対する傾斜角度が３０〜８０°、好ましくは４０〜７０°となるように構成することにより、より確実に、前方の視界をさえぎることなく、前方から照射される光を良好に遮断することができる。
【００２５】
接続部材１２の突出部とつばとの接合は、例えば、面ファスナーで行うことができる。本実施形態では、接続部材１２として、一対の面ファスナーを用いた。一対の面ファスナーとは、互いに係合することができるものを指す。面ファスナーの一方は一部が遮光部材１１に固定されて固定部となると共に残部が突出部となり、面ファスナーの他方は帽子に固定できるように構成されている。
【００２６】
本実施形態では、接続部材１２は、一方面には複数のフック体が突出し他方面には接着層が設けられた雄型面ファスナー１２Ａと、一方面には複数のループ体が突出し他方面には接着層が設けられた雌型面ファスナー１２Ｂとからなるものとした。雄型面ファスナー１２Ａは、一部を遮光部材１１に固定し、残部が遮光部材１１から突出するようにし、また、雌型面ファスナー１２Ｂは、雄型面ファスナー１２Ａとの係止面とは反対側の面が接着層となっており、帽子のつばに固定することができるようになっている。
【００２７】
また、本実施形態の面ファスナーからなる接続部材１２は、雄型面ファスナー１２Ａの突出部が遮光部材１１の重量により撓み、遮光部材１１のつばに対する傾斜角度が３０〜８０°となるように構成されている。すなわち、面ファスナーが可撓性を有するものとした。可撓性を有する面ファスナーとしては、可撓性を有する接着層を備えているものが挙げられる。かかる面ファスナーとしては、可撓性を有する接着層を備える市販の面ファスナーが挙げられる。
【００２８】
ここで、遮光部材１１のつばに対する傾斜角度は、接続部材１２の可撓性、遮光部材１１の重量、接続部材１２の幅、接続部材１２の突出部の長さ（本実施形態では、雄型面ファスナー１２Ａの突出部の長さ）等を調整することにより、調整することができる。
【００２９】
本実施形態では、雄型面ファスナー１２Ａの突出部と雌型面ファスナー１２Ｂの一部とを係合するようにすることにより、雄型面ファスナー１２Ａの突出部が遮光部材１１の重量により撓む。すなわち、一対の面ファスナーは、それぞれの全面を係合させるのではなく、一部を係合させることにより、遮光部材１１に固定する雄型面ファスナー１２Ａの突出部を撓ませることができる。
【００３０】
また、接続部材１２の突出部とつばとの接合を面ファスナーで行うことにより、帽子と日除け部材１０とを容易に着脱させることができる。すなわち、帽子に対して着脱自在のものとすることができる。本実施形態では、雌型面ファスナー１２Ｂを帽子に固定することにより、遮光部材１１に固定される雄型面ファスナー１２Ａと帽子に固定される雌型面ファスナー１２Ｂとを係合・脱離させることにより、帽子から容易に着脱させることができる。
【００３１】
遮光部材１１は、光を遮断する板状部材からなるものである。遮光部材１１の形状は特に限定されないが、本実施形態の遮光部材１１は、図１に示すように、光を遮断する略台形形状の本体部と、本体部と連続し接続部材１２が設けられる略長方形状の接続部と、から構成されている。詳述すると、遮光部材１１の本体部は、接続部と連続し且つ接続部から離れるに従って幅が漸大した略台形形状となっている。言い換えれば、この遮光部材１１は、接続部材１２を設けた側の端部１１ａよりも、端部１１ａと相対向する端部１１ｂの長さが長くなるように構成されている。すなわち、遮光部材１１は、帽子に装着した際に上方側（端部１１ａ側）の幅よりも下方側（端部１１ｂ側）の長さが長くなるように構成されている。このような構成とすることにより、下方側の重量が上方側の重量よりも大きくなり、帽子に装着した際に遮光部材１１が所定の傾斜面を構成するように接続部材１２を撓ませることができると共に、低角度の光をより良好に遮断することができる。
【００３２】
また、本実施形態の遮光部材１１は、各角部を面取り加工している。これにより、遮光部材１１の端部の欠け等を抑制すると共に、遮光部材１１の角部による使用者の怪我を抑制することができる。
【００３３】
遮光部材１１の厚さは、光を遮断することができ且つ所定の強度を備えるものであれば特に限定されるものではない。
【００３４】
遮光部材１１は、前方からの光を遮断することができる幅（端部１１ｂ方向の幅）を有するものであればよく、遮光部材１１の本体の幅が、例えば、帽子装着者の一方の目尻から他方の目尻までの幅よりも大きくなるようにするのが好ましい。
【００３５】
また、遮光部材１１は、光を遮断する材料からなるものであればよく、特に限定されるものではないが、光を遮断する材料としては、不透明の樹脂材料、必要に応じて耐水処理されたボール紙が挙げられる。樹脂材料としては、ポリエチレンやポリプロピレン等の汎用プラスチック、ポリアミド等のエンジニアリングプラスチックなどが挙げられる。本実施形態では、黒色のポリプロピレンからなるものとした。
【００３６】
また、本実施形態にかかる日除け部材１０は、遮光部材１１の表面に、遮光部材１１の一端側（接続部材１２側）とは反対側の他端側をつばの下面に着脱自在に固定する固定部材１３（１３１，１３２）を２つ備えている。固定部材１３１及び固定部材１３２は、遮光部材１１の端部１１ａとは反対側、すなわち、端部１１ｂ側よりに設けられており、遮光部材１１の長手方向の中心を通る中心軸に対して左右対称となるように設けられている。
【００３７】
遮光部材１１の他端側とつばとの接合は、例えば、面ファスナーで行うことができる。本実施形態では、各固定部材１３（固定部材１３１，固定部材１３２）として、それぞれ一対の面ファスナーを用いた。面ファスナーの一方は遮光部材１１に固定され、面ファスナーの他方は、帽子に固定できるように構成されている。本実施形態では、一対の面ファスナーは、一方面には複数のフック体が突出し他方面には接着層が設けられた雄型面ファスナー１３Ａ（１３１Ａ，１３２Ａ）と、複数のループ体が突出し他方面には接着層が設けられた雌型面ファスナー１３Ｂ（１３１Ｂ，１３２Ｂ）とからなるものとした。雄型面ファスナー１３Ａは接着層により遮光部材１１に固定され、雌型面ファスナー１３Ｂは帽子のつばに固定できるようになっている、すなわち、雄型面ファスナー１３Ａとの係止面とは反対側の面が接着層となっており、帽子のつばに固定することができるようになっている。このように、遮光部材１１の他端側とつばとの接合を面ファスナーで行うことにより、遮光部材１１の他端側を帽子のつばに対して着脱自在とすることができる。
【００３８】
固定部材１３の形状は特に限定されるものではないが、本実施形態では、各固定部材１３として円形の面ファスナーを用いた。
【００３９】
ここで、図２を用いて本考案の日除け部材１０を帽子に装着する方法について説明する。図２は、日除け部材を帽子に装着する方法を示す平面図であり、帽子下面から観察した図である。
【００４０】
図２に示す帽子１００は、着用者の頭部を覆う帽子本体１０１と、帽子本体１０１に設けられて日差しを遮断するつば１０２とからなる。本考案にかかる日除け部材１０は、遮光部材１１の一端側がつば１０２の帽子本体１０１側に且つ他端側がつば１０２の先端側に位置するように、接続部材１２の突出部をつば１０２の帽子本体１０１側下面に接合させることにより帽子に装着するものである。
【００４１】
上述したように、日除け部材１０は、接続部材１２が遮光部材１１に固定される雄型面ファスナー１２Ａと帽子１００のつば１０２に固定される雌型面ファスナー１２Ｂとからなる。帽子１００に装着する際には、まず、雌型面ファスナー１２Ｂをつば１０２の裏面（下面）の帽子本体１０１側に固定する。そして、遮光部材１１に固定される雄型面ファスナー１２Ａの一部と帽子１００のつば１０２に固定される雌型面ファスナー１２Ｂの一部とを係合させることにより、遮光部材１１の一端部側が帽子１００のつば１０２に固定する。
【００４２】
さらに、本実施形態にかかる日除け部材１０は、固定部材１３が２つ設けられており（固定部材１３１及び固定部材１３２）、それぞれが遮光部材１１に固定される雄型面ファスナー１３Ａと帽子１００のつば１０２に固定される雌型面ファスナー１３Ｂとからなる。この雌型面ファスナー１３Ｂ（１３１Ｂ，１３２Ｂ）をつば１０２の裏面（下面）のつば１０２の先端側にそれぞれ固定する。そして、遮光部材１１に固定される雄型面ファスナー１３Ａと帽子１００のつば１０２に固定される雌型面ファスナー１３Ｂの一部とを係合させることにより、遮光部材１１の一端部側も帽子１００のつば１０２に固定することができる。
【００４３】
図３〜図５を用いて、日除け部材を装着した帽子の使用方法について説明する。図３は、日除け部材１０の使用方法を説明する断面図であり、図３（ａ）は、日除け部材１０の不使用時を説明する図であり、図３（ｂ）は、日除け部材１０の使用時を説明する図である。図４及び図５は、日除け部材１０の使用方法を説明するイメージ図である。
【００４４】
図３（ａ）に示すように、日除け部材１０を帽子１００に装着した際には、日除け部材１０の遮光部材１１は、遮光部材１１に固定される雄型面ファスナー１３１Ａと帽子１００のつば１０２に固定される雌型面ファスナー１３１Ｂとが係合すると共に、遮光部材１１に固定される雄型面ファスナー１３２Ａと帽子１００のつば１０２に固定される雌型面ファスナー１３２Ｂとが係合することにより、帽子１００のつばに固定されている。これにより、遮光部材１１が帽子１００のつば１０２と平行につば１０２に保持された状態となっている。
【００４５】
そして、日除け部材１０を使用する際には、図３（ｂ）に示すように、帽子１００のつば１０２に固定される雌型面ファスナー１３１Ｂから遮光部材１１に固定される雄型面ファスナー１３１Ａを離脱させると共に、帽子１００のつば１０２に固定される雌型面ファスナー１３２Ｂから遮光部材１１に固定される雄型面ファスナー１３２Ａを離脱させることにより、遮光部材１１の一端側が帽子１００のつば１０２から離脱する。このとき、遮光部材１１に一部が固定される接続部材１２が撓むことにより、遮光部材１１の一端部が斜め前方へ垂下した状態となる。すなわち、遮光部材１１の重量により接続部材１２（遮光部材１１に一部が固定される雄型面ファスナー１２Ａ）が撓み、遮光部材１１が帽子１００の前方に傾斜垂下する。これにより、図４及び図５に示すように、帽子１００の着用者の前方に遮光部材１１が帽子１００のつば１０２よりも下方に垂下して、前方の視界をさえぎることなく、前方から照射される光、特に水平に対して低角度の日光を十分に遮断することができる。このとき、例えば、サングラスを装着した際のように、視界が変わることがなく、また、使用者に直接装着するものではないため装着による違和感もない。
【００４６】
また、日除け部材１０を使用しない場合は、遮光部材１１に固定される雄型面ファスナー１３１Ａと帽子１００のつば１０２に固定される雌型面ファスナー１３１Ｂとを係合させると共に、遮光部材１１に固定される雄型面ファスナー１３２Ａと帽子１００のつば１０２に固定される雌型面ファスナー１３２Ｂとを係合させることにより、再び図３（ａ）に示すように日除け部材１０を帽子１００のつば１０２に平行な状態に保持させる。すなわち、日除け部材１０を取り外すことなく、日除け部材１０を視界から除外することができる。
【００４７】
上述したように、本考案の日除け部材は、遮光部材がつばから所定の角度で傾斜して保持されるように構成することにより、遮光部材を水平方向に対して傾斜させた状態、すなわち、遮蔽部材を前方に向かって傾斜垂下させることができる。これにより、前方の視界をさえぎることなく、前方から照射される光、特に水平に対して低角度の光を良好に遮断することができる。このため、例えば、ゴルフ等の場合のように遠方を確認するスポーツをする際に好適に使用することができる。また、日除け部材は使用者に接触するものではないため、帽子の着用者が快適に使用することができる。
【００４８】
また、本考案の日除け部材は、接続部材を帽子に接続することにより、容易に帽子に装着させることができる。すなわち、容易な作業で帽子に装着させることができる。
【００４９】
また、日除け部材は、帽子の形状によらず、帽子本体とつばを備えるものであればいずれにも装着することができる。
【００５０】
また、つばの裏面に着脱自在に固定する固定部材を備えることにより、日除け部材の不使用時にはつばに固定することにより、日除け部材を帽子に収納することができる。したがって、日除け部材の不使用時に、つばの裏面に日除け部材を固定して、使用者の視界に入らないように隠すことができる。これによれば、日除け部材を使用時・不使用時毎に着脱する必要がない。
【００５１】
さらに、本実施形態にかかる日除け部材１０は、接続部材１２が一対の面ファスナーからなり且つ固定部材１３が一対の面ファスナーからなることにより着脱自在である。具体的には、遮光部材１１に固定される雄型面ファスナー１２Ａを帽子のつば１０２に固定される雌型面ファスナー１２Ｂから離脱させると共に、必要に応じて設けられる雄型面ファスナー１３Ａを帽子のつば１０２に固定される雌型面ファスナー１３Ｂから離脱させることにより、帽子１００から取り外すことができる。これにより、日除け部材１０を手入れすることができる。
（他の実施形態）
以上、本考案の一実施形態について説明したが、本発明の基本的構成は上述したものに限定されるものではない。例えば、遮光部材１１は上述した実施形態の形状に限定されるものではなく、例えば、略台形形状としてもよく、略長方形状等としてもよい。
【００５２】
また、上述した実施形態では、キャップ型の帽子に日除け部材１０を装着させて説明したが、本考案の日除け部材は、着用者の頭部を覆う帽子本体と、帽子本体に設けられて日差しを遮断するつばと、を備える他の帽子にも適用することができる。帽子としては、例えば、つばが周方向に設けられた帽子であってもよく、帽子本体が着用者の頭部全体を覆うものではなく一部を覆う帽子、例えば、サンバイザー等であってもよい。
【００５３】
また、上述した実施形態では、遮光部材１１に固定する面ファスナーを雄型面ファスナー１２Ａ、帽子のつばに固定する面ファスナーを雌型面ファスナー１２Ｂとしたが、逆であってもよい。同様に、遮光部材１１に固定する面ファスナーを雄型面ファスナー１３Ａ、帽子のつばに固定する面ファスナーを雌型面ファスナー１３Ｂとしたが、逆であってもよい。
【００５４】
また、上述した実施形態では、接続部材１２や固定部材１３として用いる一対の面ファスナーとして、雄型面ファスナーと雌型面ファスナーとからなる一対の面ファスナーを例に挙げて説明したが、これに限定されず、市販の面ファスナーを用いることができる。例えば、フックとループの両方が埋め込まれており、フック面とループ面との区別のない面ファスナー、マッシュルーム状に起毛されている面ファスナー等を用いることができる。
【００５５】
また、上述した実施形態では、面ファスナーは、接着層を備えるものとしたが、これに限定されず、接着層を備えていないものでもよい。この場合は、各面ファスナーは、接着剤により遮光部材や帽子にそれぞれ固定してもよい。また、上述した実施形態では、面ファスナーが備える接着層のみにより遮光部材又は固定部材に固定したが、さらに、接着剤を併用して固定してもよい。
【００５６】
また、上述した実施形態では、接続部材として一対の面ファスナーを用いたが、接続部材の構成はこれに限定されるものではない。接続部材は、帽子と遮光部材とを接続することができ、帽子に装着した際に遮光部材がつばから所定の角度で傾斜して保持されるように構成されるものであればよい。例えば、接続部材は、可撓性を有する本体部からなり、この本体部の遮光部材から突出した部分に面ファスナーを設けたものであってもよく、また、可撓性を有する本体部からなり、この本体部の一端部に両面テープや接着剤等からなる接着層を備えるものであってもよい。
【００５７】
また、上述した実施形態では、遮光部材の一端側とは反対側の他端側をつばの下面に着脱自在に固定する固定部材を２つ設けたが、１つ設けるようにしてもよく、３つ以上設けるようにしてもよい。また、遮光部材に固定部材を設けなくてもよい。
【符号の説明】
【００５８】
１０  日除け部材
１１  遮光部材
１２  接続部材
１３，１３１，１３２  固定部材
１００  帽子
１０１  帽子本体
１０２  つば
【図１】
0003169060.tif 000003
【図２】
0003169060.tif 000004
【図３】
0003169060.tif 000005
【図４】
0003169060.tif 000006
【図５】
0003169060.tif 000007